(57)【要約】      （修正有）【課題】新しい形の結び方を創作し、現代的な新しいデザインの飾り紐を提供する。【解決手段】装飾のためにつける飾り紐１００であって、１本または色が異なる複数本の紐である紐部材を有し、紐部材を逆ハート型の環状に形成し、次に、紐部材で中央に円形を形成し、次いで、逆ハート型の環状に紐部材を挿入して、さらに全体で略円盤形状となるよう形成する。【選択図】図１
0003231560.tif 000002
【実用新案登録請求の範囲】
【請求項１】
装飾のためにつける飾り紐であって、
１本または色が異なる複数本の紐である紐部材を有し、
前記紐部材を逆ハート型の環状に形成し、
次に、中央に円形を形状し、
次いで、前記逆ハート型の環状に前記紐部材を挿入して、
全体で略円盤形状とする、
ことを特徴とする飾り紐。
【請求項２】
請求項１に記載の飾り紐を有する、アクセサリー。
【請求項３】
請求項１に記載の飾り紐を含む、装飾品。
【考案の詳細な説明】
【技術分野】
【０００１】
本考案は、装飾のためにつける飾り紐に関する。本考案は、飾り紐を利用したキーホルダー、アクセサリー、装飾品に関するものであってもよい。
【背景技術】
【０００２】
水引製品においては、基本パターンの結び方を使用して飾り紐を編むのが一般的である。冠婚葬祭時ののし袋や、鶴や亀といった装飾品においても、1本から数本の水引を基本パターンの結び方を使用して編んで作られる。特許文献１には、６の倍数の紐を用いる方法であり、好ましくは、紐の位置を示すマークを付した丸台を用いる方法であり、丸台と、紐を束ねる糸と、重りとを有する組紐製造キットである組紐製造キットに関する技術を開示している。特許文献２には、多数の糸条を編組して形成した紐の外表面を薄い皮革で被覆させたことを特徴とする飾り紐に関する技術を開示している。特許文献３には、被装着物に装着するための環状の装飾用の紐であって、紐部と、該紐部の両端部が連結された伸縮自在の弾性材とからなることを特徴とする飾り紐に関する技術を開示している。特許文献４には、複数の紐芯を寄り合わせて平面状に形成し、全長が装着する人の腕の全周に略等しいかあるいはやや短い紐本体の一端に、比較的長い一本の自由紐を連結すると共に、紐本体の他端に環状に形成された無端紐の両端を連結し、無端紐を折り返してハート状に形成し、自由紐をハート状の形成された無端紐に挿通した飾り紐に関する技術を開示している。
【先行技術文献】
【特許文献】
【０００３】
【特許文献１】特開２０２０−１１７８５０号公報
【特許文献２】実用新案出願公開昭６２−４６６８８号公報
【特許文献３】登録実用新案公報３０９１６５１号公報
【特許文献４】実開平６−６４５１０号公報
【考案の概要】
【考案が解決しようとする課題】
【０００４】
従来、水引製品を作る場合に、基本パターンの結び方を使用して紐を編むため、古典的なデザインの物しか製作できない場合があり、新しいデザインの製品や現代的なデザインの製品が製作できない場合があった。近年、水引や飾り紐の需要拡大、日本の伝統工芸の活性化を目的に、現代的な新しいデザインの水引製品・飾り紐が求められている。また、現代的な新しい形の製品をデザイン・製作した場合に、新しい「結び方」を発案することが求められている。
【０００５】
本考案は、新しい形の結び方を創作し、現代的な新しいデザインの飾り紐を提供することを目的とする。また、本考案は、新しいデザインの飾り紐を利用して、新しいデザインのキーホルダー、アクセサリーおよび装飾品を提供することを目的としてもよい。また、本考案は、需要拡大の為に、現代的な新しい製品をデザイン・製作した場合において、デザインの幅を広げ、アイディアの発想をしやすくする飾り紐の「結び方」を提案し、装飾品のデザインの幅が広がり、アイディアの発想がしやすくする飾り紐の結び方を提案することを目的とする。例えば女性用のピアスやイヤリング・ネックレスといったアクセサリー、従来の冠婚葬祭時ののし袋の装飾や水引等に関しても、デザイン性を向上した製品を提供することを目的とする。 
【課題を解決するための手段】
【０００６】
上記課題を解決するために、本考案の一つの実施形態は、装飾のためにつける飾り紐であって、１本または色が異なる複数本の紐である紐部材を有し、前記紐部材を逆ハート型の環状に形成し、次に、中央に円形を形状し、次いで、前記逆ハート型の環状に前記紐部材を挿入して、全体で略円盤形状とする、ことを特徴とする飾り紐を提供する。
【０００７】
本考案の他の実施形態は、上記の飾り紐を有する、アクセサリーであってもよい。
【０００８】
本考案の他の実施形態は、上記の飾り紐を含む、装飾品であってもよい。
【考案の効果】
【０００９】
本考案に係る飾り紐によれば、創作した新しい形の結び方を利用して、現代的な新しいデザインの飾り紐とすることができる。また、本考案に係る飾り紐によれば、新しいデザインの飾り紐を利用して、新しいデザインのアクセサリーおよび装飾品とすることができる。また、本考案に係る飾り紐によれば、需要拡大のために、現代的な新しい製品をデザイン・製作した場合において、デザインの幅を広げ、アイディアの発想をしやすくする飾り紐の「結び方」を提案し、装飾品のデザインの幅が広がり、アイディアの発想がしやすくなる飾り紐の結び方を提案することができる。
【図面の簡単な説明】
【００１０】
【図１】本考案の実施形態に係る飾り紐１００の一例を示す概略構成図である。
【図２】本考案の実施形態に係る飾り紐１００の製造方法を説明する説明図である。
【図３】本考案の実施形態に係る飾り紐（１００Ａ、１００Ｂ）の一例を示す写真図である。
【図４】本考案の実施形態に係る飾り紐を用いたピアス１００Ｐの一例を示す写真図である。
【考案を実施するための形態】
【００１１】
実施形態に係る飾り紐の例を用いて、本考案を説明する。なお、本考案は、以後に説明する飾り紐以外でも、装飾のためにつける紐を利用したものであれば、いずれのものにも用いることができる。
【００１２】
以後に、本考案を説明する。
【００１３】
図１乃至図４を用いて、本考案の実施形態に係る飾り紐の構成を説明する。ここで、図１（ａ）は、本考案の実施形態に係る飾り紐１００の一例を示す概略外観図である。図１（ｂ）は、本考案の実施形態に係る飾り紐１００の一例を示す概略構成図である。図２（ａ）は、本考案の実施形態に係る飾り紐１００の製造方法（逆ハート型の環状の形成）を説明する説明図である。図２（ｂ）は、本考案の実施形態に係る飾り紐１００の製造方法（中央に円形を形状）を説明する説明図である。図２（ｃ）は、本考案の実施形態に係る飾り紐１００の製造方法（逆ハート型の環状に紐部材を挿入）を説明する説明図である。図２（ｄ）は、本考案の実施形態に係る飾り紐１００の製造方法（全体で略円盤形状を形成）を説明する説明図である。図３（ａ）は、本考案の実施形態に係る飾り紐（１００Ａ）の一例を示す写真図である。図３（ｂ）は、本考案の実施形態に係る飾り紐（１００Ｂ）の一例を示す写真図である。図４（ａ）は、本考案の実施形態に係る飾り紐を用いたピアス１００Ｐの一例を示す写真図（平面図）である。図４（ｂ）は、本考案の実施形態に係る飾り紐を用いたピアス１００Ｐの一例を示す写真図（側面図）である。
【００１４】
なお、図１等に示す飾り紐の構成等は一例であり、本考案は図１等に示す飾り紐等に限定されるものではない。
【００１５】
図１乃至図４に示すように、本考案に係る飾り紐１００は、装飾のためにつける紐を利用したものである。飾り紐１００は、本実施形態では、色が異なる複数本の紐を合わした紐部材を有する。なお、本考案に係る飾り紐は、１本の紐で形成したものであってもよい。また、紐の材質や色、大きさ、長さは、使用者・販売者・製造社が予め設計・設定することができる。また、本考案に係る飾り紐は、1本から数本の紐で形成してもよく、紐（水引など）の色や素材を変えることで、デザインのバリエーションを容易に増やすことができる。
【００１６】
飾り紐１００は、図１（ａ）および図１（ｂ）に示すように、まず紐部材を逆ハート型の環状に形成し、次に中央に円形を形状し、次いで逆ハート型の環状に紐部材を挿入して、全体で略円盤形状とする。具体的には、飾り紐１００は、図２（ａ）乃至図２（ｂ）に示すように、まず紐部材を逆ハート型の環状に形成し（図２（ａ））、次に中央に円形を形状し（図２（ｂ））、次いで逆ハート型の環状に紐部材を挿入して（図２（ｃ））、全体で略円盤形状とする（図２（ｄ））。なお、本考案に係る飾り紐は、上記の製造方法において、反転して形状を成形してもよい。
【００１７】
図３（ａ）および図３（ｂ）に示すように、本考案は、飾り紐（たとえば図１）を含む、装飾品であってもよい。また、図４（ａ）および図４（ｂ）に示すように、本考案は、飾り紐（たとえば図１）を有する、アクセサリー（たとえばピアス）であってもよい。なお、飾り紐およびアクセサリーの大きさや形状、材質は、使用者・販売者・製造社が予め設計・設定することができる。
【００１８】
以上のとおり、本考案に係る飾り紐によれば、創作した新しい形の結び方を利用して、現代的な新しいデザインの飾り紐とすることができる。また、本考案に係る飾り紐によれば、創作した新しい形の結び方を利用して、現代的な新しいデザインの飾り紐とすることができるので、新しいデザインのアクセサリーおよび装飾品とすることができる。また、本考案に係る飾り紐によれば、創作した新しい形の結び方を利用して、現代的な新しいデザインの飾り紐とすることができるので、需要拡大のために、現代的な新しい製品をデザイン・製作した場合において、装飾品等のデザインの幅が広がり、アイディアの発想がしやすくすることができる。また、本考案に係る飾り紐によれば、創作した新しい形の結び方を利用して、現代的な新しいデザインの飾り紐とすることができるので、これからの水引の需要に大きく貢献できるものである。 
【００１９】
本考案に係る飾り紐によれば、創作した新しい形の結び方を利用して、現代的な新しいデザインの飾り紐とすることができるので、日本の素晴らしい伝統工芸を今の時代に合った新しいデザインの製品にすることでき、古い物と新しい物をこれから先の時代に受継いでいくことがきる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１００、１００Ａ、１００Ｂ  ：  飾り紐
１００Ｐ  ：  ピアス（アクセサリー）
【図１】
0003231560.tif 000003
【図２】
0003231560.tif 000004
【図３】
0003231560.tif 000005
【図４】
0003231560.tif 000006